(57)【要約】【課題】聴診機能を損なうことなく、簡単な構造でかつ使いやすく、容易に蒸気の漏洩箇所を検出可能な機能を備える聴診棒を提供する。【解決手段】細長い棒状体２の一端を先細り形状とし、他端に耳当て部５を備え、先細り形状部３を被検知部に当接し、該耳当て部５を耳に当て、被検知部の振動を音として検知する聴診棒１であって、聴診棒１の下部６を二俣状にし、二俣状の先細り先端と異なる他方の検出端７に蒸気確認プレート８を設け、蒸気確認プレート８を蒸気漏洩箇所付近に導き、聴診棒１に備えられる蒸気確認プレート８に付着する蒸気及び水滴から蒸気漏洩箇所を検出する【選択図】図１
2007292500.tif 000002
【特許請求の範囲】
【請求項１】
細長い棒状体の先端を先細り形状とし、他端に耳当て部を備え、該先細り形状部の先端を被検知部に当接し、該耳当て部を耳に当て、被検知部の振動を音として検知する聴診棒であって、
前記先細り形状部の先端近傍に蒸気及び水滴の付着確認が容易な蒸気確認プレートを設けたことを特徴とする聴診棒。
【請求項２】
前記蒸気確認プレートは表面を金属メッキし、蒸気及び水滴の付着確認が容易にしたことを特徴とする請求項１に記載の聴診棒。
【請求項３】
聴診棒の下部を二俣状にし、該二俣状の先端の先細り形状部と異なる他方の検出端に蒸気確認プレートを設けたことを特徴とする請求項１に記載の聴診棒。
【請求項４】
聴診棒の先細り形状部の先端近傍に蒸気及び水滴の付着確認が容易な蒸気確認プレートを設け、前記蒸気確認プレートを蒸気漏洩箇所付近に導き、前記聴診棒に備えられる前記蒸気確認プレートに付着する蒸気及び水滴から、蒸気漏洩箇所を検出することを特徴とする請求項１又は請求２に記載の蒸気漏洩箇所検出方法。
【発明の詳細な説明】
【技術分野】
【０００１】
本発明は、回転体の軸受部の振動等を検知する際使用する聴診棒に関し、特に回転体の軸受部の振動等を検知する以外の機能も備える聴診棒及び聴診棒を用いた蒸気漏洩箇所検出方法に関する。
【背景技術】
【０００２】
発電所、化学工場などにおいては、多くの機器、装置、配管が有機的に結合され、所定の目的を達成すべく、昼夜連続運転が行われていることは周知の通りである。近年の発電所、化学工場等では計測機器、コンピュータの発達に伴い、運転も多くの部分で自動化が図られ、運転員、作業員の負荷が低減される傾向にある。
【０００３】
しかしながら各機器、装置等の点検、補修等は、現場の運転員、作業員に頼っている部分が多い。発電所、化学工場等では定期的に現場のパトロールを行い、機器、装置、配管等の点検を行っている。これにより異常が発見された場合は必要な処置、修理等を講じることで、安全にまたプラント全体を停止させることなく運転を継続させることが可能となる。
【０００４】
日常行われる現場のパトロールにおいて、現場から聞こえてくる音は非常に重要な意味を持っている。通常聞こえてこない音が聞こえる場合は、装置、機器、配管などに異常が発生している可能性もあり、運転員、作業員は、現場の音に気をつけてパトロールを行っている。空気圧縮器、蒸気タービン等の回転機器の回転部、軸受部の異常音は、音量が比較的小さいことが多いが、聴診棒を用いて聞くことができる。一般に聴診棒は、細長い金属性の棒であって一端を先細状の円錐状とし、他端に球形の耳当て部を有する。円錐状部を回転機器の軸受部に当接させ、他端の耳当て部を耳に当てて使用する。
【０００５】
回転機器に接触、又は軸受に磨耗などの異常が発生すると、軸受部にも接触などに伴う振動が伝達され、この振動を聴診棒を介して耳に伝達することで、音を聞くことができる。回転機器の接触の有無より音も大きく異なるため、この音を聞くことで回転機器の異状を検知することができる。このためパトロールを行う運転員にとって、聴診棒は必需品となっている。聴診棒はこのように単純な構造をなし、手軽に使用できる一方で、非常に小さな音は聞き取りにくい。これを解決する技術として、聴診棒の後端部にピックアップ用マイクロホンを接続し、マイクロホンの振動をアンプを介して増幅し、可聴音とするイヤホーンを具備する機器異状振動検査装置が開発されている（例えば特許文献１参照）。
【特許文献１】特開２０００−１８６９５７号公報
【発明の開示】
【発明が解決しようとする課題】
【０００６】
現場での異状音には、このほかにも配管が破損して蒸気が発生することに伴う異状音もある。高圧の蒸気が、高圧の蒸気配管に発生したピンホールから噴出している場合には、高周波の異状音が発生する。この音はパトロールで聞き取ることができるものの、音の発生箇所を特定することが難しい。また温度、乾き度も高い蒸気がピンホールから噴出しているような場合は、噴出後も白色の水蒸気とならないことから、目視で噴出（漏洩）箇所を特定することもできない。これらのことから簡単に高圧蒸気の漏洩箇所を検出することが可能な方法、装置の開発が待たれている。
【０００７】
高圧蒸気の漏洩箇所を検出することが可能な装置は、それ専用の装置であってもよいことはもちろんであるが、現場パトロールに持参する聴診棒にその機能を付加させることができれば、パトロールの際、高圧蒸気の漏洩箇所検出装置を持参することを忘れることがなく便利である。但し、聴診棒に高圧蒸気の漏洩箇所検出機能を設けるに当たり、本来の聴診機能を阻害したり、聴診棒の使用が不便になるようなものであってはならないことは当然である。
【０００８】
本発明の目的は、聴診機能を損なうことなく、簡単な構造でかつ使いやすく、容易に蒸気の漏洩箇所を検出可能な機能を備える聴診棒を提供することにある。
【課題を解決するための手段】
【０００９】
本発明は、細長い棒状体の先端を先細り形状とし、他端に耳当て部を備え、該先端の先細り形状部を被検知部に当接し、該耳当て部を耳に当て、被検知部の振動を音として検知する聴診棒であって、前記先端の先細り形状部の近傍に蒸気及び水滴の付着確認が容易な蒸気確認プレートを設けた聴診棒である。
【００１０】
本発明は聴診棒の下部を二俣状にし、該二俣状の一方に蒸気確認プレートを設けた聴診棒である。
【００１１】
また本発明は、聴診棒の先細り形状部の先端近傍に蒸気及び水滴の付着確認が容易な蒸気確認プレートを設け、前記蒸気確認プレートを蒸気漏洩箇所付近に導き、前記聴診棒に備えられる前記蒸気確認プレートに付着する蒸気及び水滴から、蒸気漏洩箇所を検出する蒸気漏洩箇所検出方法である。
【発明の効果】
【００１２】
本発明の聴診棒は、細長い棒状体の先端を先細り形状とし、他端に耳当て部を備え、先端の先細り形状部を被検知部に当接し、該耳当て部を耳に当て、被検知部の振動を音として検知する聴診棒であって、先細り形状部の近傍に蒸気及び水滴の付着確認が容易な蒸気確認プレートを設けたので、本来の機能である異常振動を検出できるほか、聴診棒の先細り形状部の近傍を蒸気漏洩箇所付近に近づけることで、聴診棒に備えられる蒸気確認プレートの曇り具合から、蒸気漏洩箇所を検出することができる。このように聴診棒に蒸気確認プレートを取付けることで、聴診棒を蒸気の漏洩箇所検出装置として使用することができる。
【００１３】
聴診棒は聴診棒の先端部を二俣状にし、二俣状の一方に蒸気確認プレートを設け、前記蒸気確認プレートを蒸気漏洩箇所付近に導き、蒸気確認プレートに付着する蒸気及び水滴から蒸気漏洩箇所を検出するので、聴診棒を使用する者は、蒸気漏洩箇所から離れた位置から聴診棒の先端部近傍のみを蒸気漏洩箇所付近に近づけることで、蒸気漏洩箇所を検出することができる。これにより安全に、また簡単に蒸気漏洩箇所を検出することができる。
【００１４】
またこのように聴診棒の先端の先細り形状部の近傍に蒸気及び水滴の付着確認が容易な蒸気確認プレートを設けたので、現場パトロールの際、蒸気の漏洩箇所検出装置を別途持参することがなく便利である。
【００１５】
蒸気確認プレートは先端と異なる二俣状の検出端に設けたので、蒸気確認プレートを蒸気漏洩箇所により近づけることが出来、また蒸気確認プレートは表面を金属メッキしたので、蒸気が付着容易で且つ、蒸気が付着したときの曇り具合が良く分かり、蒸気漏洩箇所が簡単に判別できる。
【発明を実施するための最良の形態】
【００１６】
図１は本発明の実施の一形態としての聴診棒１である。聴診棒１は、細長い棒状体２の先端３が先細り形状となっており、他端４には球形の耳当て部５が設けられている。また聴診棒１の下部６を先細り形状部の先端３と検出端７との二俣状に形成している。二俣状の先細り形状部の先端３と異なる検出端７には蒸気及び水滴の付着及び付着確認が容易な蒸気確認プレート８を設けてある。蒸気確認プレート８は金属メッキ等をすることにより蒸気及び水滴の付着確認が容易にしている。
【００１７】
棒状体２は、銅合金、鉄、ステンレスなど金属製の材料からなるが、打撃等により静電気火花が出ないこと、あるいは静電気が発生しないことからベリウム銅合金（ベアロン  登録商標）が好適である。棒状体の断面形状は、特に限定されないので、断面形状が円形又は矩形の中実材、パイプを使用することができるが、断面形状が円形の中実材が使いやすさの点から好ましい。
【００１８】
棒状体２の大きさも特に限定されないけれども、長さは３００〜８００ｍｍ程度の長さのものが好ましい。長さが３００ｍｍ以下では、先細り形状部３を被検知部、例えば異状振動発生部に当接し、耳当て部５を耳に当て、異状振動発生部の振動を音として検知するとき、短かすぎて聴診しにくい。特に異状振動発生部が奥まった場所にある場合には、聴診棒１の先端が異状振動発生部に届かず、聴診することができない。さらに聴診棒１の検出端７に固着された蒸気確認プレート８を利用して、蒸気の漏洩箇所を検出する場合にあっては、聴診棒１の長さが短すぎると漏洩している蒸気が身体にかかるため、好ましくない。
【００１９】
一方、長すぎると聴診の際、異状振動発生部に当接させた聴診棒１の先細り形状部３が安定せず、聴診しにくい。棒状体２の太さも特に限定されないけれども、容易に棒状体２が変形しない太さが必要であり、５〜１０ｍｍの太さのものが好ましい。
【００２０】
耳当て部５は、棒状体２を伝わる振動を耳に伝達しやすくするもので、外耳道よりも若干大きい球形状体が好ましい。これにより棒状体２を伝わる振動が鼓膜に伝達されやすくなる。形状は球形体に限定されないけれども、外耳道にフィットする形状であることが好ましい。
【００２１】
上記のような構成からなる聴診棒１は次の要領で使用することができる。聴診棒１を聴診器として使用する場合は、先端３の先細り形状部を異状振動発生部に当接し、耳当て部５を耳に当て、異状振動発生部の振動を音として検知し、異状振動発生部の健全性を確認する。この聴診棒１を蒸気漏洩箇所の検出器として使用する場合は、蒸気漏洩箇所から離れた位置から聴診棒１の検出端７の蒸気確認プレート８のみを蒸気漏洩箇所付近に近づける。
【００２２】
蒸気が漏洩していると、蒸気確認プレート８には蒸気及び水滴が付着し、蒸気確認プレート８の表面が曇るので蒸気漏洩箇所が確認できる。蒸気確認プレート８の表面は蒸気漏洩箇所に近いほど多くの蒸気及び水滴が付着し曇るため、場所を代えながら聴診棒１の先端部近傍を蒸気漏洩箇所と思われる場所に運び、蒸気確認プレート８の曇り具合から蒸気漏洩箇所を特定する。蒸気確認プレート８は先端３と異なる二俣状の検出端７に設けたので、蒸気漏洩箇所により近づけることが出来、また蒸気確認プレート８は表面を金属メッキしたので、蒸気の付着がしやすく、且つ蒸気が付着したときの曇り具合が良く分かり、蒸気漏洩箇所が容易に判別できる。
【図面の簡単な説明】
【００２３】
【図１】本発明の実施の一形態としての聴診棒の斜視図である。
【符号の説明】
【００２４】
１  聴診棒
２  棒状体
３  先細部
５  耳当て部
６  下部
７  検出端
８  蒸気確認プレート
【図１】
2007292500.tif 000003